(57)【要約】【課題】維持費を大幅に低減することのできる脱臭装置を提供する。【解決手段】塊状のゼオライト７が収容されたケース５内に、撒水器１４からシャワー状の水を放出させ、その水をゼオライト７に接触させて、そのゼオライト７を溶かし、その溶液に、空気流入口９からケース５内に流入した臭気を含んだ空気を接触させて、臭気成分を除去する。ケース５内の空気は、空気流出口１０を通してケース５外に排出される。ゼオライトは人体に危険ではないため、脱臭装置の管理が容易となり、しかもゼオライト７の寿命は長いため、脱臭装置の維持費を大幅に低減できる。【選択図】図１
2010000463.tif 000002
【特許請求の範囲】
【請求項１】
塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器を具備することを特徴とする脱臭装置。
【請求項２】
石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器を具備することを特徴とする脱臭装置。
【請求項３】
塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ず酸脱臭器のケース内を通過させ、次いでアルカリ脱臭器のケース内を通過させることを特徴とする脱臭装置。
【請求項４】
塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ずアルカリ脱臭器のケース内を通過させ、次いで酸脱臭器のケース内を通過させることを特徴とする脱臭装置。
【発明の詳細な説明】
【技術分野】
【０００１】
本発明は、空気中の臭気成分を除去する脱臭装置に関するものである。
【背景技術】
【０００２】
下水処理場や汚泥処理場などの臭気を発生する個所に脱臭装置を配置することは従来より周知である（例えば、特許文献１参照）。一般に、空気中に含まれる臭気成分は、酸性の液体に接触することにより除去されるものと、アルカリ性の液体に接触することにより除去されるものとがある。このため、従来の脱臭装置は、塩酸又は硫酸を水で溶かした酸性の溶液に臭気成分を含む空気を接触させてその臭気成分を除去するか、又は水酸化ナトリウムを水で溶かしたアルカリ性の溶液に臭気成分を含む空気を接触させて、その臭気成分を除去するように構成されていた。ところが、塩酸、硫酸及び水酸化ナトリウムは人体に危険を及ぼす薬品であるため、慎重にこれらの薬品を取り扱わなければならず、脱臭装置の管理と維持に多大な手間がかかる欠点を免れなかった。しかも、このような薬品を用いた脱臭装置においては、比較的短期間でその薬品を脱臭装置に補充する必要があるため、脱臭装置の維持費が嵩む欠点も免れない。
【０００３】
【特許文献１】特開２００３−１４４８３９号公報
【発明の開示】
【発明が解決しようとする課題】
【０００４】
本発明の目的は、上記従来の欠点を除去した脱臭装置を提供することにある。
【課題を解決するための手段】
【０００５】
本発明は、塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器を具備することを特徴とする脱臭装置を提案する。
【０００６】
同じく、本発明は、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器を具備することを特徴とする脱臭装置を提案する。
【０００７】
さらに、本発明は、塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ず酸脱臭器のケース内を通過させ、次いでアルカリ脱臭器のケース内を通過させることを特徴とする脱臭装置を提案する。
【０００８】
また、本発明は、塊状のゼオライトが収容されたケースを有し、該ケースには空気流入口と空気流出口が形成されていて、該ケース内の前記ゼオライトを水で溶かし、その酸性の溶液に、前記空気流入口からケース内に流入した臭気成分を含む空気を接触させ、次いでその空気を前記空気流出口からケース外に流出させる酸脱臭器と、石灰石が収容されたケースを有し、該ケースには空気流入口と空気流出口が形成されていて、該ケース内の石灰石を水で溶かし、そのアルカリ性の溶液に、前記空気流入口からケース内に流入した臭気成分を含む空気を接触させ、次いでその空気を前記空気流出口からケース外に流出させるアルカリ脱臭器とを具備し、前記酸脱臭器のケースとアルカリ脱臭器のケースは互いに連通していて、臭気を含む空気を、先ずアルカリ脱臭器のケース内を通過させ、次いで酸脱臭器のケース内を通過させることを特徴とする脱臭装置を提案する。
【発明の効果】
【０００９】
本発明によれば、人体に対して安全な物質を用いて、その臭気成分を除去するので、その取り扱いが容易となる。しかもケースに収容された塊状のゼオライト又は石灰石を長期に亘って使用することができるので、脱臭装置の維持費を低く抑えることができる。
【発明を実施するための最良の形態】
【００１０】
以下、本発明の実施形態例を図面に従って詳細に説明する。
【００１１】
図１は、本発明に係る脱臭装置１の一例を示す垂直縦断面図である。この脱臭装置１は、酸性の液体に接触することにより除去される臭気成分を含んだ空気を脱臭するのに適した装置であって、例えば汚泥処理場などの臭気を発生する建造物内に配置される。ここに示した脱臭装置１は酸脱臭器１００を具備しており、この酸脱臭器１００は、上壁２と、周壁３と、底壁４とにより構成された内部が中空なケース５を有している。このケース５の内部には、複数の載置台６が上下に間隔をあけて配置され、その各載置台６上には、適宜なサイズの多数の塊状のゼオライト７が載置されている。載置台６には、多数の孔８が形成されている。
【００１２】
一方、ケース５の周壁３の下部には、臭気成分を含む空気が流入する空気流入口９が形成され、その周壁３の上部には、ケース５内の空気が流出する空気流出口１０が形成されている。空気流入口９は、いずれの載置台６よりも下方に位置し、空気流出口１０は、いずれの載置台６よりも上方に位置している。このように、本例の酸脱臭器１００は、塊状のゼオライト７が収容されたケース５を有していて、そのケース５には、空気流入口９と空気流出口１０が形成されている。
【００１３】
また空気流出口１０にはファン１２が接続され、酸脱臭器１００にファン１２が付設されている。さらに、ケース５の上壁２に形成された水流入口１３には、水を撒布するための撒水器１４が配置されており、この撒水器１４は、通常のシャワーヘッドと同様に、小さな水噴出口１５が多数形成された板材１６により構成されている。かかる撒水器１４がケース５の上壁２に固着されているのである。
【００１４】
また、ケース５の周壁３の下部には、水流出口１７が形成され、その水流出口１７と、上述の水流入口１３には、導管１８の各端部が接続されている。かかる導管１８には、ポンプ１９が介設され、ケース５の底部には、後述するようにゼオライトの成分を含む水Ｗが溜められている。
【００１５】
上述のポンプ１９が作動を開始すると、ケース５の底部に溜められていた水Ｗが、矢印Ａで示すように、導管１８を通して撒水器１４に圧送される。このようにして撒水器１４に送られた水は、その撒水器１４の水噴出口１５を通して、シャワー状の水となってケース５内に放出される。その水は、各載置台６に形成された孔８を通りながら、ケース５の底部へと流れる。このとき、その水が塊状のゼオライト７に接触するので、そのゼオライト７が水に溶け出す。このようにして、ゼオライトが溶け出した水がケース５の底部に至り、引き続きこの水Ｗはポンプ１９によって撒水器１４に圧送されて、ケース５内に撒布される。このようにして、ゼオライトの溶け出した水、すなわちゼオライトの溶液が、ケース５内を循環するのである。ケース５の周壁３に形成された水補給口２０から、必要に応じて、ケース５内に水が補給され、ケース５の底部には、常に所定量の水が溜められている。ゼオライトの溶液は酸性である。
【００１６】
一方、ケース５に接続されたファン１２が作動することにより、ケース５内の空気が吸引され、これによって臭気成分を含んだ空気が、矢印Ｂで示すように、空気流入口９からケース５内に流入する。この空気は、ケース５内を流通した後、矢印Ｃで示したように、空気流出口１０を通してケース５の外に流出する。各載置台６には多数の孔８が形成されているので、ケース５内に流入した空気は、支障なくケース５内を流れて空気流出口１０からケース外に流出することができる。
【００１７】
上述のように臭気成分を含んだ空気がケース５内を流通するとき、前述の如くケース５内のゼオライト７に水が撒布されて、そのゼオライトが水に溶け出しているので、その酸性の溶液に、臭気成分を含んだ空気が接触する。これにより、その空気中の臭気成分が効率よく除去される。かかる空気が空気流出口１０からケース外に流出するのである。
【００１８】
上述のように、本例の脱臭装置１は、ケース５内に水を放出するための撒水器１４を有していて、この撒水器１４によりケース５内に放出された水で、ケース５内のゼオライト７を溶かし、その酸性の溶液に、空気流入口９からケース５内に流入した臭気成分を含む空気を接触させて空気中の臭気成分を除去し、次いでその空気を空気流出口１０からケース５外に流出させるように構成された酸脱臭器１００を具備しているのである。このように、酸脱臭器１００は、酸性の液体によって、空気中の臭気成分を除去する装置である。
【００１９】
上述した脱臭装置１により、効率よく空気中の臭気成分を除去できる。しかも、ゼオライトは人体に危険を及ぼすことはないので、楽に脱臭装置１の管理と維持を遂行することができ、作業能率を高めることができる。さらに、塊状のゼオライト７は、高い脱臭効果を維持しながら、長期に亘って使用することができるので、脱臭装置１の維持費を効果的に低減することができる。
【００２０】
図１に示した脱臭装置１においては、撒水器１４によって、水をシャワー状にして、これをゼオライト７に撒布したが、水を撒水器によって霧状にし、その霧状の水を塊状のゼオライトに接触させてそのゼオライトを溶かすこともできる。
【００２１】
図２はアルカリ性の液体に接触することにより除去される臭気成分を含んだ空気を脱臭する脱臭装置１Ａを示す断面図である。この脱臭装置１Ａは、図１に示した塊状のゼオライト７の代わりに、適宜なサイズの多数の石灰石７Ａが載置台６Ａに載置される点が、図１に示した脱臭装置１と異なっている。すなわち、図２に示した脱臭装置１Ａは、石灰石７Ａが収容されたケース５Ａを有し、該ケース５Ａには空気流入口９Ａと空気流出口１０Ａが形成されていて、該ケース５Ａ内の石灰石７Ａを水で溶かし、そのアルカリ性の溶液に、空気流入口９Ａからケース５Ａ内に流入した臭気成分を含む空気を接触させ、次いでその空気を空気流出口１０Ａからケース５Ａ外に流出させるアルカリ脱臭器１００Ａを具備している。このように、アルカリ脱臭器１００Ａは、アルカリ性の液体によって、空気中の臭気成分を除去する装置である。
【００２２】
図２に示した脱臭装置１Ａは、脱臭のために石灰石７Ａを用いた点以外は、図１を参照して先に説明した脱臭装置１と変わりはない。よって、図１に示した脱臭装置１の各部と同一の部分には、図１に付した符号にＡを添えた符号を付して、図２に示した脱臭装置１Ａのこれ以上の説明は省略する。
【００２３】
図２に示した脱臭装置１Ａによっても、効率よく空気中の臭気成分を除去できると共に、石灰石は人体に危険を及ぼすことはないので、楽に脱臭装置１Ａの管理と維持を遂行することができ、作業能率を高めることができる。さらに、石灰石も高い脱臭効果を維持しながら、長期に亘って使用することができるので、脱臭装置１Ａの維持費を効果的に低減することができる。
【００２４】
ところで、酸性の液体に接触することにより除去される臭気成分と、アルカリ性の液体に接触することにより除去される臭気成分が共に含まれている空気が発生することもある。このような場合には、図３に示すように、図１に示した酸脱臭器１００のケース５に形成された空気流出口１０と、図２に示したアルカリ脱臭器１００Ａの空気流入口９Ａとを、導管１１を介して接続して脱臭装置１Ｂを構成するとよい。この脱臭装置１Ｂもアルカリ脱臭器１００Ａのケース５Ａに形成された空気流出口１０Ａにファン１２Ａが接続されている。このファン１２Ａが作動することによって、酸脱臭器１００のケース５に形成された空気流入口９を通して臭気を含んだ空気がケース５内に流入する。このようにケース５内に流入した空気は、空気流出口１０を通してケース５の外に流出する。引き続きこの空気は、矢印Ｄで示すように導管１１を流れ、アルカリ脱臭器１００Ａのケース５Ａに形成された空気流入口９Ａから、そのケース５Ａに流入する。次いで、この空気は、ケース５Ａ内を流れた後、空気流出口１０Ａからケース５Ａの外に流出する。
【００２５】
上述のように、臭気成分を含んだ空気がケース５内を流れるとき、該空気はそのケース５内に撒布されたゼオライト７の溶液に接触して、酸性の溶液により除去される臭気成分が取り除かれる。引き続き、その空気がケース５Ａ内を流れるとき、該空気が石灰石７Ａの溶液に接触して、当該空気中のアルカリ性の溶液により除去される臭気成分が取り除かれる。
【００２６】
上述のように、図３に示した脱臭装置１Ｂは、塊状のゼオライト７が収容されたケース５を有し、該ケース５には空気流入口９と空気流出口１０が形成されていて、該ケース５内の前記ゼオライト７を水で溶かし、その酸性の溶液に、空気流入口９からケース５内に流入した臭気成分を含む空気を接触させ、次いでその空気を空気流出口１０からケース５外に流出させる酸脱臭器１００と、石灰石７Ａが収容されたケース５Ａを有し、該ケース５Ａには空気流入口９Ａと空気流出口１０Ａが形成されていて、該ケース５Ａ内の石灰石７Ａを水で溶かし、そのアルカリ性の溶液に、空気流入口９Ａからケース５Ａ内に流入した臭気成分を含む空気を接触させ、次いでその空気を空気流出口１０Ａからケース５Ａ外に流出させるアルカリ脱臭器１００Ａを具備し、酸脱臭器１００のケース５とアルカリ脱臭器１００Ａのケース５Ａは互いに連通していて、臭気を含む空気を、先ず酸脱臭器１００のケース５内を通過させ、次いでアルカリ脱臭器１００Ａのケース５Ａ内を通過させて、その空気中の臭気成分を除去するように構成されている。
【００２７】
これに対し、図４に示した脱臭装置１Ｃは、図２に示したアルカリ脱臭器１００Ａのケース５Ａに形成された空気流出口１０Ａと、図１に示した酸脱臭器１００の空気流入口９とを、導管１１を介して接続して構成したものである。この脱臭装置１Ｃにおいても、酸脱臭器１００のケース５に形成された空気流出口１０に、ファン１２が接続されている。このファン１２が作動することによって、アルカリ脱臭器１００Ａのケース５Ａに形成された空気流入口９Ａを通して臭気を含んだ空気がケース５Ａ内に流入し、そのケース５Ａ内を流れた空気は、空気流出口１０Ａを通してケース５Ａの外に流出する。引き続きこの空気は、矢印Ｄで示すように導管１１を流れ、酸脱臭器１００のケース５に形成された空気流入口９から、そのケース５に流入する。次いで、この空気は、ケース５内を流れた後、空気流出口１０からケース５の外に流出する。
【００２８】
上述のように、臭気成分を含んだ空気がケース５Ａ内を流れるとき、該空気はそのケース５Ａ内に撒布された石灰石７Ａの溶液に接触して、アルカリ性の溶液により除去される臭気成分が取り除かれる。引き続き、その空気がケース５内を流れるとき、該空気がゼオライトの溶液に接触して、当該空気中の酸性の溶液により除去される臭気成分が取り除かれる。
【００２９】
上述のように、図４に示した脱臭装置１Ｃも、図１に示した酸脱臭器１００と図２に示したアルカリ脱臭器１００Ａとを有していて、その酸脱臭器１００のケース５とアルカリ脱臭器１００Ａのケース５Ａは互いに連通している。その際、この脱臭装置１Ｃにおいては、臭気を含む空気を、先ずアルカリ脱臭器１００Ａのケース５Ａ内を通過させ、次いで酸脱臭器１００のケース５内を通過させて、その空気中の臭気成分を除去するように構成されている。
【００３０】
図３及び図４に示した脱臭装置１Ｂ，１Ｃによれば、異なった性質の臭気成分をそれぞれ効率よく除去でき、しかも楽に脱臭装置１Ｂ，１Ｃの管理と維持を遂行でき、さらに脱臭装置１Ｂ，１Ｃの維持費を低減することができる。
【図面の簡単な説明】
【００３１】
【図１】ゼオライトを用いた脱臭装置の垂直縦断面図である。
【図２】石灰石を用いた脱臭装置の垂直縦断面図である。
【図３】酸脱臭器とアルカリ脱臭器を共に有する脱臭装置の概略断面図である。
【図４】酸脱臭器とアルカリ脱臭器を共に有する脱臭装置の他の例を示す概略断面図である。
【符号の説明】
【００３２】
１，１Ａ，１Ｂ，１Ｃ  脱臭装置
５，５Ａ  ケース
７  ゼオライト
７Ａ  石灰石
９，９Ａ  空気流入口
１０，１０Ａ  空気流出口
１００  酸脱臭器
１００Ａ  アルカリ脱臭器
【図１】
2010000463.tif 000003
【図２】
2010000463.tif 000004
【図３】
2010000463.tif 000005
【図４】
2010000463.tif 000006